(57)【要約】【課題】部品の有効利用と給送用カセット装置の多機能化を通じて部品点数の削減を図り、記録装置の外観、携帯性及び操作性の向上を図る。【解決手段】、本発明の給送用カセット装置１は、持ち運びが可能なポータブルタイプの記録装置１００に対して着脱自在に装着することができ、記録装置本体３に装着した状態で手に提げて記録装置１００を持ち運ぶことができるハンドルとしての機能を備えている。具体的には給送用カセット装置１は被記録材Ｐを収容するカセット本体２１と、該カセット本体２１に対して出没自在に設けられるハンドル部２５と、上記カセット本体２１を記録装置本体３に装着し、上記ハンドル部２５を引き上げることで自動的にロック状態にし、カセット本体２１と記録装置本体３とを一体化することができる自動ロック機構２７とを備えている。【選択図】図５
2008019016.tif 000002
【特許請求の範囲】
【請求項１】
被記録材が収容され、持ち運びが可能なポータブルタイプの記録装置に対して着脱自在に装着することができる給送用カセット装置であって、
前記給送用カセット装置には記録装置本体に装着した状態で手に提げて記録装置を持ち運ぶことができるハンドルとしての機能が備えられていることを特徴とする給送用カセット装置。
【請求項２】
請求項１に記載の給送用カセット装置において、前記給送用カセット装置は、積畳状態で複数枚の被記録材を収容し得るカセット本体と、該カセット本体に対して出没自在に設けられ、引き出した状態でハンドルとして使用することができるハンドル部と、前記カセット本体を前記記録装置本体に装着し、前記ハンドル部を引き出すことによって自動的にロック状態にしてカセット本体と記録装置本体とを一体化させる自動ロック機構とを備えていることを特徴とする給送用カセット装置。
【請求項３】
請求項２に記載の給送用カセット装置において、前記自動ロック機構は、前記カセット本体に対して付勢手段によって突出傾向が付与された状態で取り付けられ、前記記録装置本体に対して設けられている係合凹部と突出状態において係合するロックピンと、該ロックピンの出没を切り替え、前記ハンドル部と一体に設けられるシャッタ板とを備えていることを特徴とする給送用カセット装置。
【請求項４】
請求項２に記載の給送用カセット装置において、前記自動ロック機構は、前記記録装置本体に対して付勢手段によって突出傾向が付与された状態で取り付けられ、突出状態において前記カセット本体に対して設けられている係合凹部と係合するロックピンと、該ロックピンの出没を切り替え、前記ハンドル部と一体に設けられるシャッタ板とを備えていることを特徴とする給送用カセット装置。
【請求項５】
請求項２〜４のいずれか１項に記載の給送用カセット装置において、前記給送用カセット装置には、前記ハンドル部の出没動作とは無関係に前記自動ロック機構によるロック状態を独立して解除することができるロック解除機構が設けられていることを特徴とする給送用カセット装置。
【請求項６】
給送用カセット装置を着脱自在に装着することができる持ち運びが可能なポータブルタイプの記録装置であって、
前記給送用カセット装置は請求項１〜５のいずれか１項に記載した給送用カセット装置であることを特徴とする記録装置。
【請求項７】
給送用カセット装置を着脱自在に装着することができる持ち運びが可能なポータブルタイプの液体噴射装置であって、
前記給送用カセット装置には液体噴射装置本体に装着した状態で手に提げて液体噴射装置を持ち運ぶことができるハンドルとしての機能が備えられていることを特徴とする液体噴射装置。
【発明の詳細な説明】
【技術分野】
【０００１】
本発明は、持ち運びが可能なポータブルタイプの記録装置に対して着脱自在に装着することができる給送用カセット装置及び該給送用カセット装置が装着可能な記録装置に関する。
【０００２】
更に本発明は、インク等の液体をそのヘッドから吐出（噴射）して被記録材（被液体噴射材）に記録を実行する（液体を付着する）インクジェット式記録装置などの液体噴射装置及び該液体噴射装置に対して装着される給送用カセット装置に関するものである。
【０００３】
ここで液体噴射装置とは、インクジェット式記録ヘッドが用いられ、該記録ヘッドからインクを吐出して被記録材に記録を行うプリンタ、複写機およびファクシミリ等の記録装置に限らず、インクに代えてその用途に対応する液体を前記記録ヘッドに相当する液体噴射ヘッドから被記録材に相当する被液体噴射材に噴射して、前記液体を前記被液体噴射材に付着させる装置を含む意味で用いる。
【０００４】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００５】
持ち運びが可能なポータブルタイプの記録装置には、下記の特許文献１に示すように記録装置本体の側面に門型をした手提げハンドルが取り付けられたものがある。該手提げハンドルは前後に回動し得るように構成されており、記録実行時には邪魔にならないよう、後方に倒して使用され、持ち運び時には上方に立ち上げ、直立姿勢にして中央のグリップ部を持って持ち運びができるように構成されている。
【０００６】
一方、ポータブルタイプの記録装置の中には積畳状態で多数枚の被記録材を収容し得る給送用カセット装置を装着することができるタイプの記録装置が存在する。そして、このような給送用カセット装置としては記録装置本体の上部後方に形成された開口部に前下がり傾斜で挿入し、傾斜姿勢で使用されるタイプの給送用カセット装置が存在する。
【０００７】
しかし、このような傾斜姿勢の給送用カセット装置を記録装置本体に取り付けると、上記手提げハンドルの回動操作が妨げられる場合があり、このような場合には手提げハンドルを回動操作するその都度、一々給送用カセット装置を記録装置本体から取り外さなくてはならない。また、手提げハンドルの左右のアーム長を長くすれば上記給送用カセット装置との干渉を回避できるが、手提げハンドルが大型化してしまい、記録装置の携帯性を損ねてしまう結果になる。
【０００８】
更に、使用時と持ち運び時とで行われる手提げハンドルの姿勢を切り替えるための手提げハンドルの回動操作は面倒であるし、記録の実行に直接関係のない手提げハンドルを設けることは部品点数の増加を招き、記録装置の外観を損ねる一因ともなっていた。また、上記給送用カセット装置は被記録材の収容と給送のみを目的にした構造になっており、それ以上の機能は特に設けられていなかった。
【０００９】
【特許文献１】特開２００４−８２４５５号公報
【発明の開示】
【発明が解決しようとする課題】
【００１０】
本発明の目的は、ポータブルタイプの記録装置の携帯性を損ねることなく、従来の手提げハンドルを排除して煩わしい手提げハンドルの回動操作や、手提げハンドルの回動に伴って必要になる給送用カセット装置の着脱操作を行う必要がなく、部品点数の削減や記録装置の外観の向上にも寄与し得るハンドル機能を備えた給送用カセット装置及び該給送用カセット装置が装着可能な記録装置等を提供することを課題とするものである。
【課題を解決するための手段】
【００１１】
上記課題を解決するために本発明の第１の態様に係る給送用カセット装置は、持ち運びが可能なポータブルタイプの記録装置に対して着脱自在に装着することができる給送用カセット装置であって、前記給送用カセット装置には記録装置本体に装着した状態で手に提げて記録装置を持ち運ぶことができるハンドルとしての機能が備えられていることを特徴とするものである。
【００１２】
本発明の第１の態様によれば、給送用カセット装置にハンドルとしての機能が備えられているから、別途設けられていた従来の手提げハンドルを排除することが可能になる。従って、煩わしい手提げハンドルの回動操作や手提げハンドルの回動に伴って必要になる給送用カセット装置の着脱操作が不要になる。また、給送用カセット装置の一部をハンドルとして使用することで部品点数の削減や記録装置の外観の向上にも寄与し得るようになる。
【００１３】
本発明の第２の態様に係る給送用カセット装置は、前記第１の態様において、前記給送用カセット装置は、積畳状態で複数枚の被記録材を収容し得るカセット本体と、該カセット本体に対して出没自在に設けられ、引き出した状態でハンドルとして使用することができるハンドル部と、前記カセット本体を前記記録装置本体に装着し、前記ハンドル部を引き出すことによって自動的にロック状態にしてカセット本体と記録装置本体とを一体化させることができる自動ロック機構とを備えていることを特徴とするものである。
【００１４】
本発明の第２の態様によれば、前記第１の態様による作用効果に加えて、カセット本体によって被記録材の収容と給送という本来の給送用カセット装置の機能が実行され、ハンドル部によって手提げハンドルとしての機能が実行される。また、ハンドル部はカセット本体に対して出没自在に設けられているから、持ち運び時以外は引っ込めた状態にしておけば記録装置の外観を損ねることもない。更に、自動ロック機構を設けることによって給送用カセット装置を記録装置本体に装着し、ハンドル部を引き上げるだけで強固なロック状態が形成され、記録装置全体をハンドル部によって確実に持ち上げ、安全に持ち運ぶことが可能になる。
【００１５】
本発明の第３の態様に係る給送用カセット装置は、前記第２の態様において、前記自動ロック機構は、前記カセット本体に対して付勢手段によって突出傾向が付与された状態で取り付けられ、前記記録装置本体に対して設けられている係合凹部と突出状態において係合するロックピンと、該ロックピンの出没を切り替え、前記ハンドル部と一体に設けられるシャッタ板とを備えていることを特徴とするものである。
【００１６】
本発明の第３の態様によれば、前記第２の態様による作用効果に加えて、記録装置本体に対してはロックピンと係合する係合凹部を形成するだけでよく、記録装置本体の構成変更を最小限に留めることができる。またハンドル部と連動するシャッタ板の採用によりハンドル部を引き上げた状態でロック状態、ハンドル部を引っ込めた状態でロック解除状態に簡単に切り替えることが可能になる。
【００１７】
本発明の第４の態様に係る給送用カセット装置は、前記第２の態様において、前記自動ロック機構は、前記記録装置本体に対して付勢手段によって突出傾向が付与された状態で取り付けられ、突出状態において前記カセット本体に対して設けられている係合凹部と係合するロックピンと、該ロックピンの出没を切り替え、前記ハンドル部と一体に設けられるシャッタ板とを備えていることを特徴とするものである。
【００１８】
本発明の第４の態様によれば、前記第２の態様による作用効果に加えて、カセット本体に対してはロックピンやロックピンに突出傾向を付与する付勢手段を設けることが不要になるから給送用カセット装置の小型、軽量化を図ることが可能になる。また、ハンドル部と連動するシャッタ板の採用によりハンドル部を引き上げた状態でロック状態、ハンドル部を引っ込めた状態でロック解除状態に簡単に切り替えることが可能になる。
【００１９】
本発明の第５の態様に係る給送用カセット装置は、前記第２〜第４のいずれか１つの態様において、前記給送用カセット装置にはハンドル部の出没動作とは無関係に前記自動ロック機構によるロック状態を独立して解除することができるロック解除機構が設けられていることを特徴とするものである。
【００２０】
本発明の第５の態様によれば、前記第２〜第４のいずれか１つの態様の作用効果に加えて、ハンドル部を引き上げた状態でもロック状態を解除することができるから、ハンドル部を握って給送用カセット装置を記録装置本体から取り外すことが可能になり、給送用カセット装置の取り外しや被記録材の補給が容易になる。
【００２１】
本発明の第６の態様に係る記録装置は、給送用カセット装置を着脱自在に装着することができる持ち運びが可能なポータブルタイプの記録装置であって、前記給送用カセット装置は前記第１〜第５のいずれか１つの態様の給送用カセット装置であることを特徴とするものである。
【００２２】
本発明の第６の態様によれば、ポータブルタイプの記録装置の携帯性を損ねることなく、従来の手提げハンドルを排除して煩わしい手提げハンドルの回動操作や手提げハンドルの回動に伴って必要になる給送用カセット装置の着脱操作を行う必要がなく、部品点数の削減や記録装置の外観の向上にも寄与し得るハンドル機能を備えた給送用カセット装置が装着可能な記録装置を提供することが可能になる。
【００２３】
本発明の第７の態様に係る液体噴射装置は、給送用カセット装置を着脱自在に装着することができる持ち運びが可能なポータブルタイプの液体噴射装置であって、前記給送用カセット装置には液体噴射装置本体に装着した状態で手に提げて液体噴射装置を持ち運ぶことができるハンドルとしての機能が備えられていることを特徴とするものである。
【発明を実施するための最良の形態】
【００２４】
以下、本願発明に係る給送用カセット装置及び該給送用カセット装置が装着可能な液体噴射装置の一例である記録装置について説明する。最初に本願発明の液体噴射装置、そしてその一例である記録装置を実施するための最良の形態としてインクジェットプリンタ１００を採り上げて、その全体構成の概略を図面に基づいて説明する。
【００２５】
図１はハンドル部を格納した状態のインクジェットプリンタの内部構造を示す側断面図、図２はハンドル部を格納した状態のインクジェットプリンタの外観を示す斜視図である。また、図３はハンドル部を引き出した状態のインクジェットプリンタの外観を示す斜視図である。尚、ここで説明するインクジェットプリンタ１００は、例えば４×６インチ以下の被液体噴射材の一例である被記録材Ｐ（以下単に用紙Ｐともいう）を対象にした持ち運びが可能なポータブルタイプのインクジェットプリンタである。また、このインクジェットプリンタ１００には、後述するように本発明の給送用カセット装置１が装着でき、パーソナルコンピュータに接続しなくても直接用紙Ｐに記録の実行ができる、いわゆるダイレクトプリンタと呼ばれているタイプのインクジェットプリンタに属する。
【００２６】
このインクジェットプリンタ１００は、図１〜図３に示すような角箱状の液体噴射装置本体、記録装置本体の一例であるプリンタ本体３を備えている。プリンタ本体３の上部後方には、給送用カセット装置１を前下がり傾斜姿勢で装着することができる開口部５が形成されている。また、プリンタ本体３の内部には、給送用カセット装置１内の用紙Ｐを給送するための給送用ローラ７や給送された用紙Ｐを記録ポジション９に導き排出する搬送用ローラ１１及び排出用ローラ１３等を含む搬送系の諸部材や記録ポジション９に設けられるキャリッジ１５や記録ヘッド１７等を含む記録実行系の諸部材が適宜配置されている。
【００２７】
［実施例］
次に、このようなインクジェットプリンタ１００に対して装着可能な本発明の給送用カセット装置１を図示の実施例に基づいて具体的に説明する。  
図４はハンドル部を格納した状態の給送用カセット装置を示す斜視図、図５はハンドル部を引き出した状態の給送用カセット装置を示す斜視図である。図６はメイン蓋体を拡開した状態の給送用カセット装置を示す斜視図、図７は自動ロック機構がロック解除状態にある時の給送用カセット装置を一部破断して示す平面図である。また図８は自動ロック機構がロック状態にある時の給送用カセット装置を一部破断して示す平面図である。
【００２８】
本発明の実施例に係る給送用カセット装置１には、プリンタ本体３に装着した状態で手に提げてインクジェットプリンタ１００を持ち運ぶことができるハンドルとしての機能が備えられている。そして、本実施例では、給送用カセット装置１は、積畳状態で複数枚の用紙Ｐを収容し得るカセット本体２１と、該カセット本体２１の開放された上面を閉塞する蓋体２３と、上記カセット本体２１に対して出没自在に設けられ、引き出した状態でハンドルとして使用することができるハンドル部２５と、上記カセット本体２１をプリンタ本体３に装着し、ハンドル部２５を引き出すことによってロック状態にし、カセット本体２１とプリンタ本体３とを一体化させることができる自動ロック機構２７とを備えている。
【００２９】
カセット本体２１は、図６に示すように、上面が開放された浅底のトレイ状の容器である。プリンタ本体３に装着されるカセット本体２１の装着側端部２９には、蓋体２３の一部であるシャッタ蓋体３１が設けられており、該シャッタ蓋体３１の下部中央には矩形状に切り欠かれた切欠部３３が形成されている。尚、上記シャッタ蓋体３１は、カセット本体２１内の用紙Ｐを給送する場合にカセット本体２１の装着側端部２９に形成される給送用開口３５を拡げる方向にスライドして用紙Ｐの給送を容易にし、一方、非給送時には、上記給送用開口３５を狭める方向にスライドしてゴミの侵入等を防止する役割を有している。また、上記切欠部３３は、用紙Ｐの給送時に上記シャッタ蓋体３１が給送用ローラ７に干渉しないように形成されている。
【００３０】
カセット本体２１の装着側端部２９寄りの底面には、可動エッジガイド機構３７が設けられている。可動エッジガイド機構３７は、カセット本体２１内に収容されている用紙Ｐの左右の側縁（エッジ）を保持して案内する役割を有し、幅方向に接近離反するように連動してスライドする左右に設けられるエッジガイド３９、４１と、該エッジガイド３９、４１の駆動伝達手段である図示しないラックピニオン機構とを一例として備えている。
【００３１】
また、上記シャッタ蓋体３１の上部には、蓋体２３の他の一部であるメイン蓋体４３が設けられている。メイン蓋体４３は、上記シャッタ蓋体３１に比べて大きく、シャッタ蓋体３１寄りに設けられる回動ピン４５を回動支点として前後に所定の角度回動できるように構成されている。従って、用紙Ｐを補給する場合には、メイン蓋体４３を手前にいっぱいに拡開することにより、カセット本体２１の開放された上面が大きく現れるようになり、用紙Ｐの補給を容易にしている。また、メイン蓋体４３の先端部中央には、カセット本体２１の先端部中央に設けられている係合解除ボタン４７の係合爪４９と係合する係合受部５１が設けられており、メイン蓋体４３の閉塞時には、上記係合爪４９が係合受部５１に係合することによって不用意にメイン蓋体４３が拡開しないようになっている。
【００３２】
ハンドル部２５は、持ち運び時に手で握るグリップ部５３と、グリップ部５３の両端から上記カセット本体２１側に延びる左右のアーム部５５、５５とを備えることによって構成されている。そして、このうちアーム部５５、５５は、上記カセット本体２１に対して上下方向（用紙搬送方向と一致する）にスライドできるように構成されており、アーム部５５、５５をカセット本体２１から引き出した状態がハンドル部２５の使用可能状態、アーム部５５、５５をカセット本体２１内に収納した状態がハンドル部２５の格納状態になっている。
【００３３】
自動ロック機構２７は、カセット本体２１に対して設けられる付勢手段としての圧縮コイルバネ５９と、該圧縮コイルバネ５９によって常時突出傾向が付与されているロックピン６１と、プリンタ本体３の開口部５における左右の内壁面に対して形成され、上記ロックピン６１が突出状態にある時、上記ロックピン６１と係合する凹部６３と、上記アーム部５５、５５と一体に設けられ、カセット本体２１の装着側端部２９に向けて延びているシャッタ板６５、６５とを備えることによって構成されている。
【００３４】
また、上記圧縮コイルバネ５９とロックピン６１は、カセット本体２１の装着側端部２９において左右に１組ずつ設けられており、このうちロックピン６１は、装着側端部２９の側面に対して形成されている左右のピン受入穴６７、６７から外方に突出し得るように構成されている。また、上記シャッタ板６５、６５は、カセット本体２１の左右の側面に沿うように延長形成されており、その一部には上記ロックピン６１に当接することによって上記ピン受入穴６７から突出している状態のロックピン６１をカセット本体２１内に引っ込めるように案内する案内傾斜板６９が設けられている。
【００３５】
次に、このようにして構成される給送用カセット装置１を（１）プリンタ本体３に装着する場合と、装着した給送用カセット装置１を使用して（２）インクジェットプリンタ１００を持ち運ぶ場合と、プリンタ本体３に装着されている給送用カセット装置１を（３）プリンタ本体３から取り外す場合に分けて本発明の給送用カセット装置１の作動態様を説明する。
【００３６】
（１）プリンタ本体に装着する場合（図４、図６、図８参照）
先ず図６に示すように、メイン蓋体４３を開けて、所定枚数の用紙Ｐをカセット本体２１内に積畳状態でセットする。またこの時、可動エッジガイド機構３７を使用して左右のエッジガイド３９、４１を用紙の左右の側縁（エッジ）に沿わせた状態にしておく。そして、メイン蓋体４３を図４に示すように閉め、ハンドル部２５が設けられている給送用カセット装置１の上端部を持ってプリンタ本体３の開口部５に給送用カセット装置１の装着側端部２９を挿入して給送用カセット装置１をプリンタ本体３に装着する。尚、この状態では、図８に示すように、自動ロック機構２７はロック解除状態である。
【００３７】
（２）インクジェットプリンタを持ち運ぶ場合（図５、図７参照）
インクジェットプリンタ１００を持ち運ぶ場合には、プリンタ本体３に装着されている給送用カセット装置１におけるハンドル部２５を、図５に示すように、上方に引き出す。尚、この状態では、図７に示すようにハンドル部２５と共にシャッタ板６５、６５も上方に移動するから、左右のロックピン６１、６１は、圧縮コイルバネ５９、５９に押されて突出状態になる。そして、プリンタ本体３の開口部５における左右の内壁面に形成されている凹部６３、６３にロックピン６１、６１が係合して、自動ロック機構２７はロック状態になる。また、この状態では、給送用カセット装置１とインクジェットプリンタ１００は一体化しているから、ハンドル部２５におけるグリップ部５３を手で握ってインクジェットプリンタ１００を持ち運ぶことが可能になる。
【００３８】
（３）プリンタ本体から取り外す場合（図４、図６、図８参照）
プリンタ本体３に装着されている状態の給送用カセット装置１をプリンタ本体３から取り外す場合には、カセット本体２１の上端部から突出しているハンドル部２５を、図４に示すように、押し下げて左右のアーム部５５、５５がカセット本体２１内に収容された格納状態にする。尚、この状態では図８に示すように、左右のロックピン６１、６１は左右のシャッタ板６５、６５における案内傾斜板６９に押されて圧縮コイルバネ５９、５９を収縮させながら内方に移動してカセット本体２１内に至り、自動ロック機構２７のロック状態が解除される。そして、給送用カセット装置１の上端部を持ってプリンタ本体３の開口部５から給送用カセット装置１の装着側端部２９を引き抜けば、給送用カセット装置１をプリンタ本体３から取り外すことができる。
【００３９】
［他の実施例］
本願発明に係る給送用カセット装置１、該給送用カセット装置１を備えた記録装置１００及び液体噴射装置は、以上述べたような構成を基本とするものであるが、本願発明の要旨を逸脱しない範囲内の部分的構成の変更や省略等を行なうことも勿論可能である。
【００４０】
図９に示すように、例えばロックピン６１と凹部６３の配置を逆にして、プリンタ本体３側にロックピン６１と付勢手段としての圧縮コイルバネ５９を設け、カセット本体２１側に凹部６３を設けるようにすることが可能である。因みにこのように構成しても図示のように上述の実施例と同様の作用効果を奏することができ、しかも給送用カセット装置１の小型、軽量化が容易になる。
【００４１】
また、図１０に示すように、直線的に移動するロックピン６１に代えて所定の角度の範囲で回動するロックレバー７１を設けることも可能である。図１０に示す実施例では、カセット本体２１側に回動支点Ｏを中心に回動する湾曲した図示のようなロックレバー７１と、該ロックレバー７１を外方に付勢する付勢手段としての圧縮コイルバネ５９を設け、一方プリンタ本体３側には上記ロックレバー７１の先端部と係合する凹部６３を設けている。また、給送用カセット装置１には、ハンドル部２５の出没動作とは無関係に上記自動ロック機構２７によるロック状態を独立して解除することができるロック解除機構７３を設けることも可能である。因みに図１０に示す実施例では、ハンドル部２５におけるグリップ部５３等に設けた図示しないロック解除レバーから延びるロッド７５の一端を上記ロックレバー７１に対して接続し、該ロッド７５を上方に移動させることによってロックレバー７１のロック状態を解除するようにした機構が一例として開示されている。
【００４２】
また、このような回動式のロックレバーをプリンタ本体３側に設けることも可能である。図１１では、図１０に示すロックレバー７１とは形状の違う一例として長円形状をしたロックレバー７７を使用し、回動支点Ｏを中心にして付勢手段としての圧縮コイルバネ５９の付勢力によってカセット本体２１側にロックレバー７７が起き上がるようにした自動ロック機構２７が開示されている。因みにこのロックレバー７７には、回動支点Ｏの位置を変化させてロックレバー７７の回動半径Ｒを調整することのできる長穴と、ロックレバー７７を伸長方向に付勢する付勢手段としての圧縮コイルバネ８１とが設けられており、ロック解除時には、該ロックレバー７７に接続されるワイヤ７９等を引っ張ることによりロックレバー７７の先端部と凹部６３との係合を解除するようにしている。
【００４３】
この他、図１２に示すように、ハンドル部２５をカセット本体２１の上端部に固定状態で設けるだけのシンプルな構成を採用することも可能であるし、上記ロックピン６１やロックレバー７１、７７を付勢する付勢手段としては圧縮コイルバネ５９の他、ねじりコイルバネや板バネ等の付勢手段を採用することも可能である。
【図面の簡単な説明】
【００４４】
【図１】ハンドル部を格納した状態のインクジェットプリンタの内部構造を示す側断面図。
【図２】ハンドル部を格納した状態のインクジェットプリンタの外観を示す斜視図。
【図３】ハンドル部を引き出した状態のインクジェットプリンタの外観を示す斜視図。
【図４】ハンドル部を格納した状態の給送用カセット装置を示す斜視図。
【図５】ハンドル部を引き出した状態の給送用カセット装置を示す斜視図。
【図６】メイン蓋体を拡開した状態の給送用カセット装置を示す斜視図。
【図７】ロック解除状態の給送用カセット装置を一部破断して示す平面図。
【図８】ロック状態の給送用カセット装置を一部破断して示す平面図。
【図９】給送用カセット装置の他の実施例を示す平面図。
【図１０】自動ロック機構の構成を異ならせた他の実施例を示す平断面図。
【図１１】自動ロック機構の構成を異ならせた更に他の実施例を示す平断面図。
【図１２】給送用カセット装置の更に他の実施例を示す平面図。
【符号の説明】
【００４５】
１  給送用カセット装置、３  プリンタ本体（記録装置本体）、５  開口部、７  給送用ローラ、９  記録ポジション、１１  搬送用ローラ、１３  排出用ローラ、１５  キャリッジ、１７  記録ヘッド、２１  カセット本体、２３  蓋体、２５  ハンドル部、２７  自動ロック機構、２９  装着側端部、３１  シャッタ蓋体、３３  切欠部、３５  給送用開口、３７  可動エッジガイド機構、３９  エッジガイド、４１  エッジガイド、４３  メイン蓋体、４５  回動ピン、４７  係合解除ボタン、４９  係合爪、５１  係合受部、５３  グリップ部、５５  アーム部、５９  圧縮コイルバネ（付勢手段）、６１  ロックピン、６３  凹部、６５  シャッタ板、６７  ピン受入穴、６９  案内傾斜板、７１  ロックレバー、７３  ロック解除機構、７５  ロッド、７７  ロックレバー、７９  ワイヤ、８１  圧縮コイルバネ、１００  インクジェットプリンタ（記録装置）、Ｐ  用紙（被記録材）、Ｏ  回動支点、Ｒ  回動半径
【図１】
2008019016.tif 000003
【図２】
2008019016.tif 000004
【図３】
2008019016.tif 000005
【図４】
2008019016.tif 000006
【図５】
2008019016.tif 000007
【図６】
2008019016.tif 000008
【図７】
2008019016.tif 000009
【図８】
2008019016.tif 000010
【図９】
2008019016.tif 000011
【図１０】
2008019016.tif 000012
【図１１】
2008019016.tif 000013
【図１２】
2008019016.tif 000014